(57)【要約】【課題】本発明の目的は、二室容器に用いられるストローに関し、二液の混合を迅速に行うことができるストローを提供することである。【解決手段】本発明に係るストロー１は、上容器１１０と下容器１２０とが連結された二室容器１００に用いられ、上容器から下容器へ向けて挿入することで二液を混合するためのストローであって、ストローは、二室容器の内容物を吸い上げるための吸引路１２を有する管状のストロー本体１０と、ストロー本体の外面に設けられた又ははめ込まれた連通路形成部２０と、を備え、連通路形成部は、連通路２２とストロー本体の下容器内に挿入される部分の横断面積以上の横断面積を有する拡径部２１とを有し、連通路が、連通路の側壁に開口部２４を有し、ストロー本体の先端１１を下容器の内面に到達させた状態としたとき、開口部が、上容器の収容室１１１から下容器の収容室１２１にわたって開口している。【選択図】図１
2015096166.tif 000002
【特許請求の範囲】
【請求項１】
上容器と下容器とが連結された二室容器に用いられ、前記上容器から前記下容器へ向けて挿入することで二液を混合するためのストローであって、
該ストローは、前記二室容器の内容物を吸い上げるための吸引路を有する管状のストロー本体と、該ストロー本体の外面に設けられた又ははめ込まれた連通路形成部と、を備え、
前記連通路形成部は、連通路と前記ストロー本体の前記下容器内に挿入される部分の横断面積以上の横断面積を有する拡径部とを有し、
前記連通路が、該連通路の側壁に開口部を有し、前記ストロー本体の先端を前記下容器の内面に到達させた状態としたとき、前記開口部が、前記上容器の収容室から前記下容器の収容室にわたって開口していることを特徴とするストロー。
【請求項２】
前記ストローは、前記上容器の外面に係合可能なストッパー部を更に有することを特徴とする請求項１に記載のストロー。
【請求項３】
前記ストロー本体は、径の異なる管が伸縮可能に組み合わさり、最外管が飲み口側である多段式であり、
前記連通路形成部が最外管に設けられていることを特徴とする請求項１又は２に記載のストロー。
【発明の詳細な説明】
【技術分野】
【０００１】
本発明は、二室容器に用いられるストローに関する。
【背景技術】
【０００２】
二種の成分を、使用前は分離して収容し、使用時にストローの挿入によって混合することができる二室容器が提案されている（例えば、特許文献１を参照。）。また、一室容器に用いられるストローに関する発明であるが、ストローの外面に突出した部分が設けられ、突出した部分の横断面に相当する形状の空気通路を容器の壁に形成させるストローが知られている（例えば、特許文献２〜４を参照。）。
【先行技術文献】
【特許文献】
【０００３】
【特許文献１】実開平４−３９８６号公報
【特許文献２】実公昭６２−３７５１４号公報
【特許文献３】実開昭６１−１４９５７６号公報
【特許文献４】特開２０１０−２１３９３８号公報
【発明の概要】
【発明が解決しようとする課題】
【０００４】
二室容器では、ストローの突き刺しによって、二種成分の混合を迅速に行うことが望まれる。しかし、特許文献１の第１図では、上容器内の内容物を、上容器から下容器に迅速に移動させることができない。特許文献２のストロー付容器は、蓋体に予め貫通孔が設けられており、ストローの突き刺しによって二室間を連通するものではない。また、内容物を吸飲時には栓体と一体に固着されているストローを引き上げる必要があり、容器の底面に残った内容物を最後まで吸飲できない。特許文献１の第４図、特許文献３又は４に記載されたストローを二室容器に用いれば、突出した部分の横断面に相当する形状の孔が形成されて、二室間の壁とストローの外面との間に隙間が生じ、生じた隙間から内容物が移動して二種成分を迅速に混合できる。しかし、突出した部分が容器の収容空間内に入りきってしまう構造であるため、二室間の壁及び上容器の天面壁において、ストローの外面との間に隙間が生じて、ストローが横方向にぐらついて位置が定まらず、飲用しにくい問題があった。
【０００５】
本発明の目的は、二室容器に用いられるストローに関し、二液の混合を迅速に行うことができるストローを提供することである。
【課題を解決するための手段】
【０００６】
本発明に係るストローは、上容器と下容器とが連結された二室容器に用いられ、前記上容器から前記下容器へ向けて挿入することで二液を混合するためのストローであって、該ストローは、前記二室容器の内容物を吸い上げるための吸引路を有する管状のストロー本体と、該ストロー本体の外面に設けられた又ははめ込まれた連通路形成部と、を備え、前記連通路形成部は、連通路と前記ストロー本体の前記下容器内に挿入される部分の横断面積以上の横断面積を有する拡径部とを有し、前記連通路が、該連通路の側壁に開口部を有し、前記ストロー本体の先端を前記下容器の内面に到達させた状態としたとき、前記開口部が、前記上容器の収容室から前記下容器の収容室にわたって開口していることを特徴とする。
【０００７】
本発明に係るストローでは、前記ストローは、前記上容器の外面に係合可能なストッパー部を更に有することが好ましい。ほこりなど異物の混入を防止することができる。また、ストローの挿入の仕方に関わらず、連通路の開口部を適切な位置により確実に配置させることができ、より安定して迅速な二液の混合を行うことができる。
【０００８】
本発明に係るストローでは、前記ストロー本体は、径の異なる管が伸縮可能に組み合わさり、最外管が飲み口側である多段式であり、前記連通路形成部が最外管に設けられていることが好ましい。ストローを縮めた時のストローの全長を短くすることができ、二室容器の側面に添付しやすい。
【発明の効果】
【０００９】
本発明は、二室容器に用いられるストローに関し、二液の混合を迅速に行うことができるストローを提供することができる。
【図面の簡単な説明】
【００１０】
【図１】本実施形態に係るストローの一例を、二室容器に挿入した直後の状態を示す断面図である。
【図２】本実施形態に係るストローの一例を示す正面図である。
【発明を実施するための形態】
【００１１】
次に、本発明について実施形態を示して詳細に説明するが本発明はこれらの記載に限定して解釈されない。本発明の効果を奏する限り、実施形態は種々の変形をしてもよい。
【００１２】
図１は、本実施形態に係るストローの一例を、二室容器に挿入した直後の状態を示す断面図である。図２は、本実施形態に係るストローの一例を示す正面図である。本実施形態に係るストロー１は、図１、図２に示すように、上容器１１０と下容器１２０とが連結された二室容器１００に用いられ、上容器１１０から下容器１２０へ向けて挿入することで二液を混合するためのストローであって、ストロー１は、二室容器１００の内容物を吸い上げるための吸引路１２を有する管状のストロー本体１０と、ストロー本体１０の外面に設けられた又ははめ込まれた連通路形成部２０と、を備え、連通路形成部２０は、連通路２２とストロー本体１０の下容器１２０内に挿入される部分の横断面積以上の横断面積を有する拡径部２１とを有し、連通路２２が、連通路２２の側壁２３に開口部２４を有し、ストロー本体１０の先端１１を下容器１２０の内面に到達させた状態としたとき、開口部２４が、上容器の収容室１１１から下容器の収容室１２１にわたって開口している。
【００１３】
図１を参照しながら、二室容器１００について説明する。図１に示す二室容器１００は一例であって、本発明はこれに限定されない。上容器１１０は、内部に第一収容室１１１を有する。第一収容室１１１には、第一内容物Ｌ１が収容されている。上容器１１０は、第一内容物Ｌ１を密閉状態で収容できればよく、その形状及び材質は特に限定されない。上容器１１０の壁のうち、下容器１２０に対向させる壁（以降、上容器側対向壁という。）１１２とは異なる壁は、ストロー１を最初に挿入する、ストロー挿入壁１１３である。ストロー挿入壁１１３は、図１に示すように、二室容器の上面となる壁であることが好ましい。
【００１４】
下容器１２０は、内部に第二収容室１２１を有する。第二収容室１２１には、第二内容物Ｌ２が収容されている。下容器１２０は、第二内容物Ｌ２を密閉状態で収容できればよく、その形状及び材質は特に限定されない。下容器１２０の壁のうち、上容器１１０に対向させる壁（以降、下容器側対向壁という。）１２２とは異なる壁は、ストロー本体の先端１１を到達させる、ストロー到達壁１２３である。ストロー到達壁１２３は、図１に示すように、二室容器の底面となる壁であることが好ましい。
【００１５】
上容器１１０と下容器１２０とは、上容器側対向壁１１２と下容器側対向壁１２２とを対向させた状態で連結する。上容器１１０と下容器１２０との連結手段は、特に限定されず、例えば、（１）上容器と下容器を固定する嵌合部品１３０（図１に図示）、（２）対向させた壁同士の間に設けた接着部材（不図示）、（３）上容器の外周面及び下容器の外周面にわたって密着するシュリンクフィルム（不図示）、（４）対向させた壁同士の融着、（５）上容器と下容器とが相互に固定し合う構造（不図示）である。
【００１６】
次に、図１、図２を参照しながら、ストロー１について説明する。図１、図２に示すストロー１は一例であって、本発明はこれに限定されない。ストロー１は、図１に示すように、二室容器１００の内容物を吸い上げるための吸引路１２を有する管状のストロー本体１０と、ストロー本体１０の外面に設けられた又ははめ込まれた連通路形成部２０と、を備える。ストロー本体１０は、例えば、図１、図２に示すように、径の異なる複数本の管１０ａ，１０ｂが伸縮可能に組み合わさり、最外管１０ａが飲み口側である多段式（以降、純伸縮ストローということもある。）であるか、径の異なる複数本の管が伸縮可能に組み合わさり、最内管が飲み口側である多段式（不図示、以降、逆伸縮ストローということもある。）であるか、又は１本の管からなるもの（不図示）であってもよい。また、ストロー本体１０が多段式であるとき、管１０ａ，１０ｂの本数は、図１、図２に示す２本に限定されず、３本以上であってもよい。
【００１７】
連通路形成部２０は、ストロー本体１０の外面に、ストロー本体１０と一体に設けられているか、又はストロー本体１０の外面に、別体の部品としてはめ込まれている。連通路形成部２０がストロー本体１０と別体であるとき、ストロー本体１０と連通路形成部２０とは、同一の材質で形成するか、又は異なる材質で形成してもよい。本実施形態に係るストロー１では、図１に示すように、ストロー本体１０が純伸縮ストローであり、連通路形成部２０が最外管１０ａに設けられていることが好ましい。ストロー１を縮めた時のストローの全長をより短くすることができ、二室容器１００の側面に添付しやすい。
【００１８】
拡径部２１は、少なくとも連通路２２よりも下容器側に配置されることが好ましい。拡径部２１が上容器側対向壁１１２及び下容器側対向壁１２２を通過することで、ストロー本体１０の下容器１２０内に挿入される部分の横断面積以上の大きな面積の孔１１４，１２４が、上容器側対向壁１１２及び下容器側対向壁１２２に形成される。これによって、ストロー本体１０と上容器側対向壁１１２との間、及びストロー本体１０と下容器側対向壁１２２との間に、内容物の迅速な移動が可能な大きさの連通路２２を確保することができる。
【００１９】
連通路２２は、側壁２３と側壁２３に設けられた開口部２４とを有する。図１、図２では、連通路２２の一形態例として、連通路の側壁２３が拡径部２１の上方に連接する筒状であり、連通路の側壁２３に長孔状の開口部２４を設けた形態を示した。連通路２２は、第一収容室１１１と第二収容室１２１とを連通させることができればよく、図１に示す形態に限定されない。連通路２２のその他の形態例としては、連通路の側壁２３が拡径部１の上方に連接する筒状であり、連通路の側壁２３にスリット状の開口部（不図示）を設けた形態、連通路の側壁２３に凹溝（不図示）を設けた形態であってもよい。
【００２０】
連通路形成部２０は、ストロー本体１０の先端１１を下容器１２０の内面（ストロー到達壁１２３の内面、図１では二室容器の底面となる壁の内面）に到達させた状態としたとき、連通路２２の開口部２４が、第一収容室１１１から第二収容室１２１にわたって開口するように、ストロー本体１０の外面に固定される。本実施形態では、図１に示すように、少なくとも、ストロー１が、ストロー到達壁１２３の内面に対して略垂直方向に挿入されて、ストロー本体の先端が下容器の内面に到達した状態としたときに、連通路２２の開口部２４が、第一収容室１１１から第二収容室１２１にわたって開口していることが好ましい。ストロー１が略垂直方向に挿入された場合に加えて、ストロー１が、ストロー到達壁１２３の内面に対して斜め方向に挿入された場合にも、ストロー本体の先端が下容器の内面に到達した状態としたときに、連通路２２の開口部２４が、第一収容室１１１から第二収容室１２１にわたって開口していることがより好ましい。連通路２２の開口部２４が第一収容室１１１から第二収容室１２１にわたって開口することで、第一内容物Ｌ１が連通路２２を通るとともに、空気も連通路２２を通ることができ、第一内容物Ｌ１の移動に伴う空気の流れが阻害されない。このため、第一内容物Ｌ１が、第一収容室１１１から第二収容室１２１に迅速に移動して、第二内容物Ｌ２に迅速に混合される。また、連通路の側壁２３が上容器側対向壁１１２及び下容器側対向壁１２２と接するため、ストロー１の横方向でのぐらつきを抑制して安定して飲用することができる。
【００２１】
ストロー１は、上容器１１０の外面に係合可能なストッパー部２５を更に有することが好ましい。ストッパー部２５が係合する上容器１１０の外面は、ストロー挿入壁１１３の外面であることが好ましい。ストッパー部２５によって、ほこりなど異物が二室容器１００内に混入を防止することができる。ストロー１の挿入方向にかかわらず、連通路２２の開口部２４を適切な位置により確実に配置させることができ、より安定して迅速な二液の混合を行うことができる。
【００２２】
二室容器１００内の内容物を飲用しようとするときの動作について、図１を参照して説明する。まず、ストロー１でストロー挿入壁１１３を突き破って、ストロー本体１０の先端１１を第一収容室１１１内に侵入させる。次いで、ストロー１で上容器側対向壁１１２及び下容器側対向壁１２２を順次突き破って、ストロー本体１０の先端１１を第二収容室１２１内に侵入させる。そして、ストロー本体１０の先端１１をストロー到達壁１２３の内面に到達させた状態とする。この時、上容器側対向壁１１２及び下容器側対向壁１２２には、拡径部２１の横断面に相当する形状の孔１１４，１２４が形成されており、かつ、連通路２２の開口部２４は、第一収容室１１１から第二収容室１２１にわたって開口している。このため、ストロー本体１０と上容器側対向壁１１２との間、及びストロー本体１０と下容器側対向壁１２２との間に、内容物の迅速な移動が可能な大きさの連通路２２が確保された状態となり、第一内容物Ｌ１が連通路２２を通るとともに、空気も連通路２２を通ることができ、第一内容物Ｌ１の移動に伴う空気の流れが阻害されない。このため、上容器１１０内の第一内容物Ｌ１が、下容器１２０内に迅速に移動して、下容器１２０内の第二内容物Ｌ２に混合される。
【符号の説明】
【００２３】
１  ストロー
１０  ストロー本体
１０ａ  最外管
１０ｂ  管
１１  ストロー本体の先端
１２  吸引路
２０  連通路形成部
２１  拡径部
２２  連通路
２３  連通路の側壁
２４  開口部
２５  ストッパー部
１００  二室容器
１１１  上容器の収容室（第一収容室）
１１０  上容器
１１２  上容器側対向壁
１１３  ストロー挿入壁
１１４  孔
１２０  下容器
１２１  下容器の収容室（第二収容室）
１２２  下容器側対向壁
１２３  ストロー到達壁
１２４  孔
１３０  嵌合部品
Ｌ１  第一内容物
Ｌ２  第二内容物
【図１】
2015096166.tif 000003
【図２】
2015096166.tif 000004